(57)【要約】【課題】  広告冊子を挿入しつつ、十分な容量の広告冊子包装袋をレジ袋として使用すること。【解決手段】  包装袋１０１は、通常書店などで書籍を挿入するのに適した半透明で薄型の形状を有することができる。また、広告冊子包装袋１０１は、運搬時には取っ手穴１０２に指や手を通すことにより、容易に運搬できるようになっている。包装袋１０１に広告冊子として、パンフレット兼申込書３０１を挿入した。広告冊子包装袋１０１の容量は、挿入される広告冊子を収納するために必要な容量を超える容量とする。【選択図】  図３
2020070095.tif 000002
【特許請求の範囲】
【請求項１】
合成樹脂製の広告冊子包装袋であって、
開閉可能な開口部と、
内部に、店舗内で提供される商品の購入対象者に関連する広告冊子と
を備え、容量が前記広告冊子の収納に必要な容量を超えることを特徴とする広告冊子包装袋。
【請求項２】
広げた際の面積が前記広告冊子の面積の１．４４倍以上であることを特徴とする請求項１に記載の広告冊子包装袋。
【請求項３】
前記開口部は、買い物袋として容易に使用できないように予め封止されていることを特徴とする請求項１または２に記載の広告冊子包装袋。
【請求項４】
表面に広告表示部を有することを特徴とする請求項１ないし３のいずれかに記載の広告冊子包装袋。
【請求項５】
店舗内のいずれかの位置に配置された提供手段において提供されることを特徴とする請求項１ないし４のいずれかに記載の広告冊子包装袋。
【請求項６】
請求項１ないし５のいずれかに記載の広告冊子包装袋を提供する方法であって、
前記広告冊子包装袋を、前記所定の店舗の入り口から、精算窓口までの間で提供するステップと、
前記商品とともに前記提供された広告冊子包装袋を受け取るステップと、
前記広告冊子を取り除くことなく、前記商品を挿入した前記広告冊子包装袋を提供するステップと
を備えたことを特徴とする方法。
【請求項７】
前記広告冊子包装袋は、前記店舗内で購入しようとする商品を運搬するための買い物かごを提供するかご設置場所の近傍で提供されることを特徴とする請求項６に記載の方法。
【請求項８】
前記広告冊子包装袋は、陳列棚に平置きして提供されることを特徴とする請求項６または７に記載の方法。
【請求項９】
請求項１ないし５のいずれかに記載の広告冊子包装袋を管理するシステムであって、前記広告冊子包装袋は、識別情報保持手段をさらに備え、
前記店舗内の精算窓口に配置され、前記識別情報保持手段から識別情報を読み取り、送信する識別情報読取り手段と、
前記識別情報を受信し、当該受信した識別情報に基づいて前記広告冊子包装袋の必要数を算出する広告冊子包装袋管理サーバと
を備えることを特徴とするシステム。
【請求項１０】
前記識別情報読取り手段は、前記読み取った識別情報を前記広告冊子包装袋管理サーバに送信し、前記広告冊子包装袋管理サーバは、受信した識別情報を計数して使用された広告冊子包装袋数を算出し、所定以上の数の広告冊子包装袋が使用されたときは、追加の広告冊子包装袋の発想が必要であると判定することを特徴とする請求項９に記載のシステム。
【請求項１１】
前記識別情報は、ＱＲコードであることを特徴とする請求項９または１０に記載のシステム。
【請求項１２】
前記識別情報は、バーコードであることを特徴とする請求項９または１０に記載のシステム。
【請求項１３】
前記識別情報は、ＩＳＢＮコードであることを特徴とする請求項９または１０に記載のシステム。
【発明の詳細な説明】
【技術分野】
【０００１】
本発明は、広告冊子包装袋およびその提供方法並びにシステムに関し、より具体的には、書店、ドラッグストア等の店舗において、関連商品等の広告を目的として提供される広告冊子包装袋およびその提供方法並びにシステムに関する。
【背景技術】
【０００２】
書店、スーパー、ドラッグストアをはじめとして、様々な分野の小売店舗において、商品を購入した顧客は、購入した商品をレジ袋に詰め、あるいは包装用紙で包装することにより、運搬容易な形態として持ち帰る。この際使用するレジ袋や包装用紙は店舗側が提供するが、その費用は、店舗の広告を表示して広告費として回収したり、商品を提供するメーカーの広告を表示して費用をメーカー負担とする等により回収したりされている。例えば、特許文献１のレジ袋には、表面に広告を印刷する面や小売店名を印刷する面を設けて、レジ袋を広告媒体として用いる技術が開示されている（特許文献１参照）。
【０００３】
一方、上述の商品を提供する店舗のうちスーパーなど、精算処理の後通常は購入者が袋詰めや、包装を行うが、それ以外の書店、ドラッグストアなどその他の形態の店舗の多くでは、精算処理を行った店員がそのまま袋詰め、包装等も行う。したがって、従来は店舗側でレジ袋を用意しておくのが通常であり、逆に購入者が専用の買い物袋を持参した場合は、わざわざ店員が購入商品と購入者の買い物袋を受け取って袋詰めしている。
【先行技術文献】
【特許文献】
【０００４】
【特許文献１】特開２００３−２８５８４７号公報
【発明の概要】
【発明が解決しようとする課題】
【０００５】
しかし、近年プラスチックのレジ袋に対する環境問題の議論の高まりから、各国でプラスチックのレジ袋の使用禁止や、使用抑制のための有料化が行われており、日本でも店舗ごとに有料化等に踏み切っているところもあるが、その場合、買い物を目的に入店したような、予め個人で専用の買い物袋を持参してきている購入者は別として、会社帰りなどにふりで入店した手ぶらの購入者は、有料のレジ袋を購入しなければならないという問題がある。
【０００６】
本発明は上記従来の問題に鑑みてなされたものであり、広告冊子を挿入した十分な容量を有する広告冊子包装袋を精算窓口の手前のいずれかの店内のスペースにおいて提供することによって、有料のレジ袋を使用せずに商品の持ち帰りができる広告冊子包装袋およびその提供方法並びにシステムを提供することを目的とする。
【課題を解決するための手段】
【０００７】
上述の課題を解決するために、本願の請求項１に記載の発明は、合成樹脂製の広告冊子包装袋であって、開閉可能な開口部と、内部に、店舗内で提供される商品の購入対象者に関連する広告冊子とを備え、容量が前記広告冊子の収納に必要な容量を超えることを特徴とする。
【０００８】
請求項２に記載の発明は、請求項１に記載の広告冊子包装袋において、広げた際の面積が広告冊子の面積の１．４４倍以上であることを特徴とする。
【０００９】
請求項３に記載の発明は、請求項１または２に記載の広告冊子包装袋において、開口部は、買い物袋として容易に使用できないように予め封止されていることを特徴とする。
【００１０】
請求項４に記載の発明は、請求項１ないし３のいずれかに記載の広告冊子包装袋において、表面に広告表示部を有することを特徴とする。
【００１１】
請求項５に記載の発明は、請求項１ないし４のいずれかに記載の広告冊子包装袋において、店舗内のいずれかの位置に配置された提供手段において提供されることを特徴とする。
【００１２】
請求項６に記載の発明は、請求項１ないし５のいずれかに記載の広告冊子包装袋を提供する方法であって、広告冊子包装袋を、所定の店舗の入り口から、精算窓口までの間で提供するステップと、商品とともに提供された広告冊子包装袋を受け取るステップと、広告冊子を取り除くことなく、商品を挿入した広告冊子包装袋を提供するステップとを備えたことを特徴とする。
【００１３】
請求項７に記載の発明は、請求項６に記載の方法において、広告冊子包装袋は、店舗内で購入しようとする商品を運搬するための買い物かごを提供するかご設置場所の近傍で提供されることを特徴とする。
【００１４】
請求項８に記載の発明は、請求項６または７に記載の方法において、広告冊子包装袋は、陳列棚に平置きして提供されることを特徴とする。
【００１５】
請求項９に記載の発明は、請求項１ないし５のいずれかに記載の広告冊子包装袋を管理するシステムであって、広告冊子包装袋は、識別情報保持手段をさらに備え、店舗内の精算窓口に配置され、識別情報保持手段から識別情報を読み取り、送信する識別情報読取り手段と、識別情報を受信し、受信した識別情報に基づいて広告冊子包装袋の必要数を算出する広告冊子包装袋管理サーバとを備えることを特徴とする。
【００１６】
請求項１０に記載の発明は、請求項９に記載のシステムにおいて、識別情報読取り手段は、読み取った識別情報を前記広告冊子包装袋管理サーバに送信し、広告冊子包装袋管理サーバは、受信した識別情報を計数して使用された広告冊子包装袋数を算出し、所定以上の数の広告冊子包装袋が使用されたときは、追加の広告冊子包装袋の発想が必要であると判定することを特徴とする。
【００１７】
請求項１１に記載の発明は、請求項９または１０に記載のシステムにおいて、識別情報は、ＱＲコード（登録商標）であることを特徴とする。
【００１８】
請求項１２に記載の発明は、請求項９または１０に記載のシステムにおいて、識別情報は、バーコードであることを特徴とする。
【００１９】
請求項１３に記載の発明は、請求項９または１０９に記載のシステムにおいて、識別情報は、ＩＳＢＮコードであることを特徴とする。
【発明の効果】
【００２０】
本発明によると、開閉可能な開口部と、内部に、店舗内で提供される商品の購入対象者に関連する広告冊子とを備え、容量が前記広告冊子の収納に必要な容量を超えるので、広告冊子を挿入しつつ、十分な容量の広告冊子包装袋をレジ袋として使用することができる。
【図面の簡単な説明】
【００２１】
【図１】本発明の一実施形態の広告冊子包装用袋の一例を示す図である。
【図２】本発明の一実施形態の広告冊子包装用袋の別の例を示す図である。
【図３】本発明の一実施形態の広告冊子包装用袋に広告冊子の一例が挿入されている様子を示す図である。
【図４】本発明の一実施形態の広告冊子包装用袋に広告冊子の別の例が挿入されている様子を示す図である。
【図５】本発明の一実施形態の広告冊子包装袋を提供する店舗の配置を示す図である。
【図６】本発明の一実施形態の広告冊子包装袋の提供方法の処理の一例のフローチャートである。
【図７】本発明の一実施形態の広告冊子包装袋の提供システムの一例のシステム構成を示す図である。
【図８】本発明の一実施形態の広告冊子包装袋の提供システムの一例の機能ブロック図である。
【図９】本発明の一実施形態の広告冊子包装袋の提供システムの一例のフローチャートである。
【発明を実施するための形態】
【００２２】
以下、本発明の広告冊子包装袋およびその提供方法並びにシステムについて図面を参照して実施形態を説明する。
【００２３】
（広告冊子包装袋）
図１は、本発明の一実施形態の広告冊子包装用袋の一例を示す図であり、図２は別の例を示す図である。また、図３は、本発明の一実施形態の広告冊子包装用袋に広告冊子の一例が挿入されている様子を示す図であり、図４は広告冊子の別の例が挿入されている様子を示す図である。ここで、広告冊子とは、チラシ、パンフレット、クーポン、講習の申込書等、広告を一定の目的とする紙媒体をいい、様々な目的の冊子を含む。これらの広告冊子は、従来から多くが無料で陳列棚等に配置されるほか、商品の購入時に店員がレジ袋に袋詰め若しくは包装する際に、商品とともに混入させることで、購入者の意思にかかわらず対象となりうる購入者の手元に届けられている。通常これらの広告冊子は、汚れ防止等のため透明または半透明の封筒などに封入されているが、本実施形態では、このような広告冊子を保護するような袋を改良して容量を、広告冊子の収納に必要な容量を超えて、買い物袋としても十分使用できる容量を有するような広告冊子包装袋とした。
【００２４】
すなわち、図１に示すような挿入する広告冊子よりも十分大きな容量、例えば包装袋を広げた時の面積が挿入する広告冊子の面積の１．４４倍以上、好ましくは１．６７倍以上の包装袋とし、商品を広告冊子とともに混入することが可能なようにする。ここで、広告冊子の面積とは、収納する形態、すなわち出来上がりの状態における面積であり、例えば複数ページあったとしても、閉じた状態における面積である。さらに、図１に示す包装袋１０１は、通常書店などで書籍を挿入するのに適した半透明で薄型の形状を有することができる。また、広告冊子包装袋１０１は、運搬時には取っ手穴１０２に指や手を通すことにより、容易に運搬できるようになっている。図３は、包装袋１０１に広告冊子として、資格講習のパンフレット兼申込書３０１を挿入した様子を示したものであり、広告冊子を挿入しても十分な容量が残されているので、書籍や文房具など、書店で通常購入できる商品を容易に混入することができる。
【００２５】
本実施形態の別の例を説明すると、図２に示すような挿入する広告冊子よりも十分大きな容量、例えば包装袋を広げた時の面積が挿入する広告冊子の面積の１．４４倍以上、好ましくは１．６７倍以上の包装袋とすることで、商品を広告冊子とともに混入することにより、図２に示す包装袋２０１は、通常ドラッグストアなどで薬品、雑貨を挿入するのに適した半透明の包装袋も使用することができる。ここで、広告冊子の面積とは、収納する形態、すなわち出来上がりの状態における面積であり、例えば複数ページあったとしても、閉じた状態における面積である。さらに、広告冊子包装袋２０１は、マチ２０２を有しており、使用時はマチ２０２によりかさがある商品でも収納が可能である。運搬時には取っ手部２０３に手を通すことにより、容易に運搬できるようになっている。図４は、包装袋２０１に広告冊子として、グルメクーポン４０１を挿入した様子を示したものであり、広告冊子を挿入しても十分な容量が残されているので、薬品や日用雑貨など、ドラッグストアで通常購入できる商品を容易に混入することができる。
【００２６】
（広告冊子包装袋の提供方法）
以上のような本実施形態の広告冊子包装袋が実際の店舗内でどのように提供されるかを、図を参照して以下に説明する。図５は、本発明の一実施形態の店舗内の配置を示す図であり、図６は、広告冊子包装袋の提供方法の処理の一例のフローチャートである。図５は、例えばドラッグストアなどの店舗５０１の一般的な配置を示す平面図であるが、これに限られず、本実施形態はいずれの形態の店舗にも適用することができる。
【００２７】
店舗５０１の出入り口５０２を入ったすぐ右側には、商品を店内で一時的に保持するための買い物かごを載置しておくための買い物かご台５０３が設置されており、入店する購入者は先ず買い物かごを確保して、店舗５０１内に進む。この際、本実施形態の広告冊子包装袋を提供する提供手段、例えば陳列台５０６が買い物かご台５０３の横に設置されており、購入者に容易に提供できるようになっている。ここで、本実施形態で広告冊子包装袋を提供する提供手段は、例えば陳列台とすることができるが、これに限られず、単なる広告冊子を配列した台としたり、壁面に貼り付けた棚としたりして、レジなどの精算窓口以外のいずれかの容易に購入者に提供できる形態で提供することができる手段とすることができる。また、予め買い物かごに入れておくこともできる。このようにして、購入者は、買い物かごと広告冊子包装袋を受け取って店内に進む（ステップ６０１）が、広告冊子包装袋は、店舗内のいずれの場所でも提供することができるので、その場合はその場所で提供する。
【００２８】
入店後、購入者は例えば動線５０４に沿って商品の選択を行い、所望する商品を買い物かごに入れ（ステップ６０２）、商品を保持した買い物かごをレジ５０５の店員に渡して精算する（ステップ６０３）。この際、有料でレジ袋を提供する店舗では、レジ袋の要否を確認されるが、本実施形態の広告冊子包装袋の提供を受けた購入者は、買い物かご内に広告冊子包装袋を入れたまま買い物かごを渡すか、あるいは別途店員に渡すことにより、購入者持参の買い物袋に対するのと同様に、商品は広告冊子とともに袋詰めされることができる（ステップ６０４）。以上のように本実施形態の広告冊子包装袋提供方法を適用することにより、店員が購入者にわざわざ広告冊子を渡す手間をかけることなく、購入者が自己の購入した商品とともに自然に広告冊子を持ち帰るようにすることができる。
【００２９】
（システム構成）
本実施形態の広告冊子包装袋を提供するに際して、所定の情報サービスをさらに用いることにより、より的確な管理が可能になるので、そのようなシステムを以下に説明する。図７は、本発明の一実施形態の広告冊子包装袋の提供システムの一例のシステム構成を示す図である。本システムでは、店舗からの情報を受信してデータベースに格納するとともに、種々の管理や処理を行う管理サーバ７０１が、店舗内で広告冊子包装袋の識別情報を読取り、管理サーバ７０１に送信する端末７０２とネットワーク７０３を介して接続されている。
【００３０】
端末７０２は、ネットワーク７０３に接続され、識別情報のほか様々なデータを送受信でき、通常はＰＯＳシステムの端末を用いることができるが、例えばタブレット端末とすることもでき、本実施形態でネットワーク７０３との接続は、Ｗｉ−ｆｉ、ＢＬＵＥＴＯＯＴＨ（登録商標）等の無線ネットワークにより行うこともできる。ここで端末７０２はＰＯＳシステムの端末のほか、モバイルパソコン等とすることができるが、基本的に店舗内レジ端末としてデータ等をサーバから受信し、およびマウスまたはキーボードで一定の入力操作をすることができれば、モバイルあるいはデスクトップのパソコン、専用端末などいずれの装置を用いることもできる。
【００３１】
また、端末７０２には、ＱＲコードスキャナ７０４が接続されており、広告冊子包装袋にＱＲコード（登録商標）が印刷されているときはこれを読取り、管理サーバ７０１に送信して、広告冊子包装袋をシステム的に管理することができる。ここで、本実施形態では、ＱＲコード（登録商標）を広告冊子包装袋に予め印刷しておいて、識別情報として用いるがこれに限られずその他のコード、例えばバーコード、ＩＳＢＮコードその他本技術分野で知られたいずれかのコードを印刷したり、ＲＦＩＤのような識別情報を出力するようなチップを埋め込んだりすることもでき、その場合はそれらに合わせた専用の読み取り装置を端末７０２に接続する。もちろん、本システムを用いなければ、広告冊子包装袋にはこのような識別情報を表示する必要はない。なお、ＱＲコードスキャナ７０４は端末７０２に接続され、読み取った識別情報は、端末７０２を介して管理サーバ７０１に送信されるが、これに限られずＱＲコードスキャナから直接管理サーバ７０１に送信することもでき、また本技術分野で知られたいずれかの方法を用いて送信することができる。
【００３２】
図８は、本発明の一実施形態の広告冊子包装袋の提供システムの一例の機能ブロック図である。図８に示すように、本実施形態の管理サーバ７０１は、所定の期間ごとに、あるいはＱＲコード（登録商標）が読み取られるたびにデータを収集したり、必要な管理情報を送信したりするデータ送受信モジュール８０１、取得した識別情報をもとに広告冊子包装袋の配布数量を管理する包装袋数管理モジュール８０２および算出された情報および条件で広告冊子包装袋の発送を指示する包装袋発送指示モジュール８０３を備える。同様に本実施形態の端末７０２は、管理サーバ７０１やその他種々のサーバとデータの送受信を行うデータ送受信モジュール８０４、ＱＲコードスキャナ７０４に広告冊子包装袋のＱＲコード（登録商標）を読み取らせて、識別情報を取得する識別情報読取りモジュール８０５および種々のデータベースを管理するデータベース管理モジュール８０６を備える。
【００３３】
図９を参照して、本実施形態の識別情報等の取得と管理について説明する。図９は、本発明の一実施形態の広告冊子包装袋の提供システムの一例のフローチャートである。
【００３４】
具体的には、識別情報読取りモジュール８０５が動作して、先ず精算の際に広告冊子包装袋のＱＲコード（登録商標）がＱＲコードスキャナ７０４により読み取られ（ステップ９０１）、読み取られたＱＲコード（登録商標）はデータ送受信モジュール８０４により管理サーバ７０１に送信される（ステップ９０２）。管理サーバ７０１に送信されたＱＲコード（登録商標）は、データ送受信モジュール８０１により受信され、データベースに保存される（ステップ９０３）。管理サーバ７０１では、例えば一定期間ごとに、包装袋数管理モジュール８０２がデータベースから受信したＱＲコード（登録商標）を読み込んで、配布済みの包装袋数を計数し、取得する（ステップ９０４）。本実施形態では、広告冊子包装袋が使用されるごとに送られるＱＲコード（登録商標）から使用数を算出しているが、これに限られず、端末７０２で一定期間ごとに計数して、端末ごとの利用数を各々送信したり、店舗内で集計して管理サーバ７０１に送信したりすることもできる。また、広告冊子包装袋の使用数は、ＱＲコードスキャナ７０４で行うとともに集計して一定期間ごとに使用数をＱＲコードスキャナあるいは端末７０２を介して送信することもできる。
【００３５】
以上により、管理サーバ７０１は、定期的に各店舗ごとの広告冊子包装袋の使用数を取得することによって既発送数と比較し、各店舗の広告冊子包装袋の残数を取得することができる。この情報をもとに、例えば残数が所定の閾値を下回った場合は、包装袋発送指示モジュール８０３は、追加の広告冊子包装袋の発送指示を行うことができる。本実施形態のシステムにより、管理サーバ７０１が広告冊子包装袋の使用数を把握したり、必要な追加の発送を指示したりすることが可能になるので、各店舗で広告冊子包装袋の管理を省略することもできる。
【符号の説明】
【００３６】
１０１、２０１    広告冊子包装袋
１０２    取っ手穴
２０２    マチ
２０３    取っ手部
３０１、４０１    広告冊子
５０１    店舗
５０２    出入口
５０３    買い物かご台
５０４    動線
５０５    レジ
５０６    陳列台
７０１    管理サーバ
７０２    端末
７０３    ネットワーク
７０４    ＱＲコードスキャナ
８０１、８０４    データ送受信モジュール
８０２    包装袋数管理モジュール
８０３    包装袋発送指示モジュール
８０５    識別情報読取りモジュール
８０６    データベース管理モジュール
【図１】
2020070095.tif 000003
【図２】
2020070095.tif 000004
【図３】
2020070095.tif 000005
【図４】
2020070095.tif 000006
【図５】
2020070095.tif 000007
【図６】
2020070095.tif 000008
【図７】
2020070095.tif 000009
【図８】
2020070095.tif 000010
【図９】
2020070095.tif 000011